(57)【特許請求の範囲】
【請求項１】
セットされた原稿を読み取り位置に向けて搬送する原稿搬送部と、
前記原稿搬送部により搬送される原稿を読み取るための画像読取部と、
画像読取装置内に設けられる複数の読取ユニットと信号の送受信を行って制御を行うための主コネクターを１つ含む主制御部と、
イメージセンサー、光源、及び、第１光源駆動回路を含み、原稿のうち一方の面を読み取り、前記原稿搬送部と前記画像読取部のうち、何れか一方に前記読取ユニットとして設けられる第１読取ユニットと、
イメージセンサー、光源、及び、第２光源駆動回路を含み、原稿のうち他方の面を読み取り、前記原稿搬送部と前記画像読取部のうち前記第１読取ユニットが設けられない方に前記読取ユニットとして設けられる第２読取ユニットと、
前記主制御部と前記第１読取ユニットを通信可能に電気的に接続する第１ケーブルと、
前記第１読取ユニットと前記第２読取ユニットを通信可能に電気的に接続する第２ケーブルと、を含み、
前記第１光源駆動回路は、前記第１読取ユニット用の点消灯制御信号に基づき前記第１読取ユニットの光源の点消灯を行い、
前記第２光源駆動回路は、前記第２読取ユニット用の点消灯制御信号に基づき前記第２読取ユニットの光源の点消灯を行い、
前記主制御部は、
前記第１読取ユニット用の点消灯制御信号と前記第２読取ユニット用の点消灯制御信号を生成し、
前記主コネクターを用いて、前記第１読取ユニット用と前記第２読取ユニット用の信号をまとめてやりとりし、
前記主制御部が前記主コネクターを用いてやりとりする信号には、前記第１読取ユニット用の点消灯制御信号と前記第２読取ユニット用の点消灯制御信号が含まれ、
前記第１読取ユニットは、
前記主制御部からの信号のうち、前記第１読取ユニットと前記第２読取ユニットで共用される信号を伝える信号線を分岐し、
前記共用される信号と前記第２読取ユニット用の信号を、前記第２ケーブルを介して前記第２読取ユニットに伝え、
前記第２読取ユニット用の信号には、前記第２読取ユニット用の点消灯制御信号が含まれ、
前記第２読取ユニットは、前記第１読取ユニットを介して、前記主制御部と信号のやりとりを行うことを特徴とする画像読取装置。
【請求項２】
前記第１読取ユニットは、前記原稿搬送部に固定して設けられるとともに、原稿の裏面を読み取り、
前記第２読取ユニットは、前記画像読取部に設けられ、原稿の表面を読み取り、
前記画像読取部は、前記原稿搬送部が搬送する原稿を読み取るための搬送読取用コンタクトガラスと、載置された原稿を読み取るための載置読取用コンタクトガラスと、前記第２読取ユニットを副走査方向で移動させる移動機構を含み、
前記第１ケーブルは、前記主制御部の前記主コネクターと前記原稿搬送部に設けられた前記第１読取ユニットを接続し、
前記第２ケーブルは、前記原稿搬送部の前記第１読取ユニットと前記画像読取部の前記第２読取ユニットを接続することを特徴とする請求項１に記載の画像読取装置。
【請求項３】
前記第１読取ユニットは、第１コネクターと中継コネクターを含み、
前記第１読取ユニットは、第２コネクターを含み、
前記第１ケーブルは、前記主コネクターと前記第１コネクターを接続し、
前記第２ケーブルは、前記中継コネクターと前記第２コネクターを接続し、
前記第１ケーブルは、前記第１読取ユニットと前記第２読取ユニットが共通で用いる信号を伝える共用信号線、前記第１読取ユニットのみで用いる信号を伝える第１読取ユニット用信号線、及び、前記第２読取ユニットのみで用いる信号を伝える第２読取ユニット用信号線を、前記主制御部と前記第１読取ユニットの間で接続し、
前記第１読取ユニットは、前記共用信号線を分岐させて前記中継コネクターに接続するとともに、前記第１コネクターに接続された前記第２読取ユニット用信号線を前記中継コネクターに接続するように配線され、
前記第２ケーブルは、前記第１読取ユニットの前記中継コネクターと前記第２コネクターの間を、分岐された前記共用信号線と前記第２読取ユニット用信号線で接続することを特徴とする請求項１又は２に記載の画像読取装置。
【請求項４】
ノイズを抑制するためのノイズフィルターが前記第１ケーブルに対して設けられ、
前記ノイズフィルターは、前記第２ケーブルに対しては設けられないことを特徴とする請求項１乃至３の何れか１項に記載の画像読取装置。
【請求項５】
請求項１乃至４の何れか１項に記載の画像読取装置を含むことを特徴とする画像形成装置。
【発明の詳細な説明】
【技術分野】
【０００１】
本発明は、原稿の読取を行う画像読取装置に関する。又、この画像読取装置を備えた画像形成装置に関する。
【背景技術】
【０００２】
画像読取装置は、原稿に光を照射する光源や、原稿の反射光を受光して光電変換などを行うイメージセンサー等を含み、原稿の画像データを出力する。そして、近年、原稿の表面読み取り用と裏面読み取り用の２つのイメージセンサーを画像読取装置に設けることがある。これにより、原稿の搬送方向のスイッチバックが必要なく、原稿を一方向に搬送するだけでほぼ同時に原稿の両面を読み取ることができる。このような表面用のイメージセンサーと裏面用のイメージセンサーを含む画像読取装置（以下、「両面同時読込式の画像読取装置」と称する）では原稿の両面読取を速やかに行うことができる。
【０００３】
このような両面同時読込式の画像読取装置の一例が特許文献１に記載されている。具体的に、特許文献１には、原稿の裏面を読み取る第１読取デバイス２１０と、原稿の表面を読み取る第２読取デバイス４３０を含み、制御基板４５０と第１読取デバイス２１０を第１ハーネス４１０で接続し、制御基板４５０と第２読取デバイス２３０を第２ハーネス４３０で接続する画像読取装置が記載されている。そして、第１ハーネス４１０と第２ハーネス４３０はフレキシブルフラットケーブルとされ、第１読取デバイス２１０には第１ハーネス４１０により、第２読取デバイス２３０には第２ハーネス４３０により、スタート信号やクロック信号を入力する点が記載されている（特許文献１：段落［００２１］、［００２３］、［００２６］等参照）。
【先行技術文献】
【特許文献】
【０００４】
【特許文献１】特開２０１１−１８０２８９号公報
【発明の概要】
【発明が解決しようとする課題】
【０００５】
両面同時読込式の画像読取装置では、イメージセンサーや光源を含む表面用の読取ユニット（センサー基板）と、イメージセンサーや光源を含む裏面用の読取ユニットが設けられることがある（計２つ）。そして、各読取ユニットへの電力供給及び動作制御などのため、制御基板（例えば、メインの制御基板）と、各読取ユニットは、ＦＦＣ（フレキシブルフラットケーブル）などで接続される。例えば、制御基板は、各読取ユニットの制御用の信号を生成する。
【０００６】
そして、従来例として図９に示すように、メイン制御基板Ａと各読取ユニットＢ、Ｃを接続するため、メイン制御基板Ａには２つのコネクターＡ１、Ａ２が設けられる。そして、一方のコネクターＡ１には、一方の読取ユニットＢがケーブルＤで接続される。また、他方のコネクターＡ２には、他方の読取ユニットＣがケーブルＥで接続される。
【０００７】
ここで、開発の簡素化や、部品調達の容易性や、製造コスト削減の観点から、２つの読取ユニットに、同じ、又は、ほぼ同じユニットを用いる場合がある。例えば、用いるイメージセンサーや光源やその周辺回路を同じものにする場合がある。この場合、制御基板の２つのコネクターや、制御基板と各読取ユニットをつなぐケーブルには、表面用と裏面用のもので、同じものが用いられる。表面の読取ユニット用のケーブルと裏面読取ユニット用のケーブルは、制御基板の２つのソケットのどちらにも接続できる。
【０００８】
ここで、表面用の読取ユニットと裏面用の読取ユニットの設置位置は異なること、コンタクトガラスにセットされた原稿を読み取るために一方の読取ユニットは移動される場合があることなどから、読取ユニットに接続するケーブルは、表面用と裏面用とで通常、長さが異なる。一方、表面読取ユニット用のケーブルと裏面読取ユニット用のケーブルは、メインの制御基板の２つのソケットのどちらにも接続できる。そのため、両面同時読込式の画像読取装置では、製造、組み立て工程において、ケーブルの付け間違い（取付ミス）が生じやすいという問題がある。
【０００９】
また、制御基板に設けられるコネクターの数が多いほど、制御基板の基板面積は大きくなり、基板内の配線や設計が複雑となりやすく、制御基板の製造コストがかかると言う問題もある。
【００１０】
ここで、特許文献１記載の技術では、第１ハーネスと第２ハーネスで送受信される信号の種類は、異なっているが、同じ形状のものである可能性はあり、組み立て工程で、読取ユニット用のケーブルの付け間違いが生ずる可能性はある。また、各読取デバイス用の複数のコネクターを制御基板４５０に必ず設ける必要があり、制御基板の製造コストがかかる。従って、特許文献１記載の技術では、上記の問題を解決することはできない。
【００１１】
本発明は、上記従来技術の問題点に鑑み、各読取ユニットと通信を行って制御を行うメインの制御基板に設けるコネクターの数の削減により、ケーブルの付け間違いを無くすとともに、制御基板を小型化して、製造コストを減らす。
【課題を解決するための手段】
【００１２】
上記目的を達成するために、請求項１に係る画像読取装置は、原稿搬送部、画像読取部
、主制御部、第１読取ユニット、第２読取ユニット、第１ケーブル、第２ケーブルと、を含む。原稿搬送部は、セットされた原稿を読み取り位置に向けて搬送する。画像読取部は前記原稿搬送部により搬送される原稿を読み取る。主制御部は、画像読取装置内に設けられる複数の読取ユニットと信号の送受信を行って制御を行うための主コネクターを１つ含む。第１読取ユニットは、イメージセンサー、光源、及び、第１光源駆動回路を含み、原稿のうち一方の面を読み取り、前記原稿搬送部と前記画像読取部のうち、何れか一方に前記読取ユニットとして設けられる。第２読取ユニットは、イメージセンサー、光源、及び、第２光源駆動回路を含み、原稿のうち他方の面を読み取り、前記原稿搬送部と前記画像読取部のうち前記第１読取ユニットが設けられない方に前記読取ユニットとして設けられる。第１ケーブルは、前記主制御部と前記第１読取ユニットを通信可能に電気的に接続する。第２ケーブルは、前記第１読取ユニットと前記第２読取ユニットを通信可能に電気的に接続する。前記第１光源駆動回路は、前記第１読取ユニット用の点消灯制御信号に基づき前記第１読取ユニットの光源の点消灯を行う。前記第２光源駆動回路は、前記第２読取ユニット用の点消灯制御信号に基づき前記第２読取ユニットの光源の点消灯を行う。そして、前記主制御部は、前記第１読取ユニット用の点消灯制御信号と前記第２読取ユニット用の点消灯制御信号を生成する。前記主制御部は、前記主コネクターを用いて、前記第１読取ユニット用と前記第２読取ユニット用の信号をまとめてやりとりする。前記主制御部が前記主コネクターを用いてやりとりする信号には、前記第１読取ユニット用の点消灯制御信号と前記第２読取ユニット用の点消灯制御信号が含まれる。前記第１読取ユニットは、前記主制御部からの信号のうち、前記第１読取ユニットと前記第２読取ユニットで共用される信号を伝える信号線を分岐して、前記共用される信号と前記第２読取ユニット用の信号を、前記第２ケーブルを介して前記第２読取ユニットに伝える。前記第２読取ユニット用の信号には、前記第２読取ユニット用の点消灯制御信号が含まれる。前記第２読取ユニットは、前記第１読取ユニットを介して、前記主制御部と信号のやりとりを行う。
【発明の効果】
【００１３】
本発明によれば、各読取ユニットと通信を行って制御を行うメインの制御基板に設けるコネクターの数を減らすことができる。これにより、ケーブルの付け間違いを無くすことができる。また、メインの制御基板を小型化をすることができ、製造コストを減らすことができる。
【図面の簡単な説明】
【００１４】
【図１】複合機の一例を示す図である。
【図２】画像読取装置を示す図である。
【図３】複合機のハードウェア構成を示す図である。
【図４】画像読取装置を示す図である。
【図５】裏面読取ユニットと表面読取ユニットの一例を示す図である。
【図６】各読取ユニットのケーブルの接続の一例を示す図である。
【図７】各読取ユニットのケーブルの接続の一例を示す図である。
【図８】主制御部と各読取ユニット間で接続される信号線の一例を示す図である。
【図９】ケーブルの接続の従来例を示す図である。
【発明を実施するための形態】
【００１５】
以下、図１〜図８を用い、本発明の実施形態を説明する。以下では、画像読取装置１００を含む複合機１０１（画像形成装置に相当）を例に挙げ説明する。また、裏面読取ユニット５を第１読取ユニット、表面読取ユニット６を第２読取ユニットとして説明する。本実施の形態に記載されている構成、配置等の各要素は、発明の範囲を限定せず、単なる説明例にすぎない。
【００１６】
（複合機１０１の全体構成）
次に、図１を用いて、実施形態に係る複合機１０１について説明する。図１は、複合機１０１の一例を示す図である。
【００１７】
図３に示すように、複合機１０１は、操作パネル１０２と画像読取装置１００を含む。画像読取装置１００は、原稿搬送部１と画像読取部２を含む（詳細は後述）。また、複合機１０１は、印刷部３を備える。印刷部３は、給紙部３ａ、搬送部３ｂ、画像形成部３ｃ、定着部３ｄを含む。
【００１８】
まず、操作パネル１０２は、操作パネル１０２の状態や各種メッセージや設定用画面を表示する表示部１０２ａを備える。また、表示部１０２ａに対し、各種操作を受け付けるためのタッチパネル部１０２ｂやハードキーが設けられる。印刷部３の給紙部３ａは、用紙を供給し、搬送部３ｂに向けて送り出す。搬送部３ｂは、用紙を搬送し、印刷済みの用紙を機外に排出する。画像形成部３ｃは、画像データに基づきトナー像を形成する。そして、画像形成部３ｃは、搬送される用紙にトナー像を転写する。定着部３ｄは、用紙に転写されたトナー像を加熱および加圧して定着させる。
【００１９】
（画像読取装置１００の構成）
次に、図１〜図３を用いて、実施形態に係る画像読取装置１００を説明する。図２は、画像読取装置１００を示す図である。
【００２０】
図１に示すように、操作パネル１０２の上方に原稿搬送部１、画像読取部２が設けられる。原稿搬送部１は、画像読取部２の上方に設けられ、画像読取部２に対し上下方向に開閉し、セットされた原稿を搬送読取用コンタクトガラス２１（読み取り位置）に向けて搬送する。言い換えると、搬送読取用コンタクトガラス２１は、原稿搬送部１が搬送する原稿を読み取るためのものである。画像読取部２は、原稿搬送部１により搬送され搬送読取用コンタクトガラス２１を通過する原稿、又は、載置読取用コンタクトガラス２２にセットされた（載置された）原稿に光を照射し、反射に基づき原稿を読み取って画像データを生成する。
【００２１】
原稿搬送部１は、原稿搬送方向上流側から順に、原稿トレイ１１、原稿供給ローラー１２、原稿搬送路１３、複数の原稿搬送ローラー対１４、原稿排出ローラー対１５、原稿排出トレイ１６を含む。又、原稿搬送部１は、画像読取部２の各コンタクトガラスを上方から押さえるカバーとして機能する。
【００２２】
原稿読取を行う旨の入力が操作パネル１０２に入力されると、原稿供給ローラー１２は、原稿搬送路１３に原稿を１枚ずつ送り出す。原稿トレイ１１から送り出された原稿は、複数の原稿搬送ローラー対１４やガイドに導かれ搬送される。そして、原稿は、画像読取部２の上面に設けられた搬送読取用コンタクトガラス２１の上側を通過する。この通過の際、画像読取部２に設けられた表面読取ユニット６（第２読取ユニットに相当）が原稿の表面の読取を行う。また、原稿搬送路の途中に裏面読取ユニット５（第１読取ユニットに相当）が設けられる。裏面読取ユニット５は、原稿搬送部１に固定的に設けられる（動かない）。裏面読取ユニット５によって、原稿の１回の搬送で、表面と裏面をほぼ同時に読み取ることができる。そして、原稿は、原稿排出ローラー対１５から原稿排出トレイ１６に排出される（原稿搬送経路を２点鎖線で図示）。
【００２３】
図１や図２に示すように、画像読取部２は箱形の筐体を有する。そして、画像読取部２の上面左側に、主走査方向（図２の紙面に垂直な方向）を長手方向とし、透明板状の搬送読取用コンタクトガラス２１が設けられる。画像読取部２の上面で搬送読取用コンタクトガラス２１の右側に、透明板状の載置読取用コンタクトガラス２２が配される。
【００２４】
又、図２に示すように、画像読取部２は、筐体内に、表面読取ユニット６、ワイヤー２３、巻取ドラム２４を含む。表面読取ユニット６は、ワイヤー２３で巻取ドラム２４に接続される。巻取ドラム２４は、正逆回転する巻取モーター２５（図４参照）により回転する。これにより、表面読取ユニット６を水平方向（副走査方向、操作パネル１０２の左右方向）で自在に移動させることができる。言い換えると、ワイヤー２３、巻取ドラム２４、巻取モーター２５は、表面読取ユニット６を副走査方向で移動させる移動機構２６である。載置読取用コンタクトガラス２２上の原稿を読み取る時、巻取ドラム２４の回転駆動により表面読取ユニット６を水平方向に移動させて読み取りが行われる。又、原稿搬送部１により搬送される原稿を読み取る時、表面読取ユニット６は、搬送読取用コンタクトガラス２１の下方で固定される。
【００２５】
（操作パネル１０２のハードウェア構成）
次に、図３に基づき、実施形態に係る操作パネル１０２のハードウェア構成を説明する。図３は操作パネル１０２のハードウェア構成を示す図である。
【００２６】
まず、操作パネル１０２には、操作パネル１０２の全体の制御を司る主制御部４が設けられる。主制御部４には、中央演算処理装置として、ＣＰＵ４ａが設けられる。又、ＲＯＭ（Read Only Memory）、ＨＤＤ（Hard disk drive）やフラッシュＲＯＭのような不揮発性メモリーとＲＡＭ（Random Access Memory）のような揮発性のメモリーを含む記憶部４ｂが設けられる。
【００２７】
記憶部４ｂは、操作パネル１０２を制御するためのプログラム、データ等を記憶する。主制御部４は、記憶部４ｂのプログラムやデータを利用し、各部を制御し、スキャンや印刷や送信や画像データの記憶のような各種ジョブを行わせる。又、主制御部４には、画像読取装置１００から出力される画像データに基づき、印刷や送信のために画像処理を行う画像処理部４３が設けられる。
【００２８】
そして、主制御部４はエンジン制御部３０と通信可能に接続される。エンジン制御部３０は印刷部３の動作を、主制御部４の指示に基づき制御する。また、主制御部４は、操作パネル１０２と接続される。主制御部４は、操作パネル１０２でなされた設定やジョブの実行指示を認識する。
【００２９】
又、操作パネル１０２は、通信部４ｃを含む。通信部４ｃは、コンピューター２００（例えば、パーソナルコンピューターやサーバー）やＦＡＸ装置３００と、ネットワークやケーブルや公衆回線を介して通信可能に接続される。通信部４ｃは、画像読取装置１００での原稿読み取りに基づく画像データをコンピューター２００やＦＡＸ装置３００に送信することができる（スキャン、送信機能）。
【００３０】
（画像読取装置１００のハードウェア構成）
次に、図４に基づき、実施形態に係る画像読取装置１００のハードウェア構成の一例を説明する。図４は、画像読取装置１００を示す図である。
【００３１】
画像読取装置１００の動作を制御する部分として、画像読取装置１００は、主制御部４を含む。言い換えると、主制御部４は、印刷の制御の他、画像読取装置１００の制御を行う部分でもある。
【００３２】
そして、原稿搬送部１には、原稿搬送部１の動作の制御を行う原稿搬送制御部１０が設けられる。原稿搬送制御部１０は、主制御部４や読取制御部２０と通信可能に接続される。例えば、原稿搬送制御部１０は、中央演算処理装置としてのＣＰＵや、制御用のプログラムやデータを記憶するＲＯＭ、ＲＡＭを含む基板である。原稿搬送制御部１０は、主制御部４や読取制御部２０からの原稿搬送開始の指示を受け、原稿搬送部１での原稿搬送の動作制御を行う。また、原稿搬送部１には、原稿搬送部１が搬送する原稿の裏面を読み取る裏面読取ユニット５が設けられる。裏面読取ユニット５の詳細は後述する。
【００３３】
例えば、原稿搬送部１には、原稿トレイ１１に用紙が存在する否かを検知するための原稿検知センサー１７が設けられる。原稿搬送制御部１０は、主制御部４から原稿の読取指示があった場合、原稿検知センサー１７の出力を確認し、原稿トレイ１１に用紙が存在する否かを検知する。原稿読み取りを伴うジョブの実行指示がなされたとき、原稿トレイ１１に原稿が存在している状態であると、原稿搬送制御部１０は、原稿搬送モーター１８を駆動させ、原稿供給ローラー１２や原稿搬送ローラー対１４を回転させ、原稿を読み取り位置に向けて搬送する。
【００３４】
次に、画像読取部２を説明する。画像読取部２には、画像読取部２の動作の制御を行う読取制御部２０が設けられる。読取制御部２０は、主制御部４からの指示、信号を受け、原稿の読み取りを行う。読取制御部２０は、処理装置としてのＣＰＵや集積回路などを含む基板である。また、画像読取部２には、表面読取ユニット６が設けられる。裏面読取ユニット５の詳細は後述する。
【００３５】
読取制御部２０は、巻取モーター２５と接続される。これにより、巻取モーター２５の回転を制御して、巻取ドラム２４を回転させ、第２読取ユニットを水平方向に移動させる。例えば、巻取モーター２５は、パルスモーターである。そして、読取制御部２０は、各第２読取ユニットを移動させる分だけのパルスを巻取モーター２５に入力する。巻取モーター２５は、入力されたパルスに応じて回転し、読み取りに必要なように、第２読取ユニットを移動させる。言い換えると、読取制御部２０は、移動機構２６を制御して、副走査方向での表面読取ユニット６の移動を制御する。
【００３６】
又、読取制御部２０は、ホームポジションセンサー２７と接続される。ホームポジションセンサー２７は第２読取ユニットがホームポジションに到達したことを検知するセンサーである。読取制御部２０は、巻取モーター２５を制御し、ジョブが完了すると第２読取ユニットをホームポジションに戻す。ホームポジションは、載置読取用コンタクトガラス２２と搬送読取用コンタクトガラス２１の間の下方とされる。
【００３７】
（表面読取ユニット６と裏面読取ユニット５）
次に、図２、図５を用いて、画像読取装置１００に含まれる表面読取ユニット６と裏面読取ユニット５を説明する。図５は、裏面読取ユニット５と表面読取ユニット６の一例を示す図である。
【００３８】
〈裏面読取ユニット５〉
図２に示すように、裏面読取ユニット５は、原稿搬送部１内に設けられる。操作パネル１０２で原稿の両面を読み取るジョブが設定されたとき、裏面読取ユニット５は、原稿の裏面を読み取る。なお、裏面読取ユニット５の設置位置と表面読取ユニット６の読取面との兼ね合いで、原稿は、表面を上方向に向けた状態で原稿トレイ１１にセットされる。
【００３９】
図５に示すように、裏面読取ユニット５は、第１回路部５１と第１コネクター５２と中継コネクター５３を含む基板であって、ＣＩＳ方式の読取ユニットである。そして、第１回路部５１は、第１光源駆動回路５４、第１光源部５５、第１制御回路５６、第１イメージセンサー部５７などを含む。
【００４０】
第１光源部５５は、原稿に光を照射する光源である。本実施形態の裏面読取ユニット５の光源はＬＥＤである。しかし、他種の光源を用いてもよい。本実施形態の裏面読取ユニット５はカラーでの読み取りに対応しており、第１光源部５５は、Ｒ（Ｒｅｄ）、Ｇ（Ｇｒｅｅｎ）、Ｂ（Ｂｌｕｅ）の３色を発光することができる。そして、ＬＥＤには導光管（不図示）が接続され、光は、裏面読取ユニット５の主走査方向（長手方向）の各位置でほぼ均一な光量レベルとなるように搬送される原稿に向けて放たれる。
【００４１】
第１光源駆動回路５４は、主制御部４からの点灯、消灯のタイミングを指示する信号に基づきＬＥＤの点消灯を行う回路である。第１光源駆動回路５４は、Ｒｅｄで読み取りを行うタイミングではＲｅｄのＬＥＤを発光させ、Ｇｒｅｅｎで読み取りを行うタイミングではＧｒｅｅｎのＬＥＤを発光させ、Ｂｌｕｅで読み取りを行うタイミングではＢｌｕｅのＬＥＤを点灯させる。また、原稿を読み取る間、第１光源駆動回路５４は、３色とも（全ＬＥＤを）発光させてもよい。
【００４２】
第１制御回路５６は、裏面読取ユニット５のコントローラーであって、第１回路部５１に含まれる回路の制御を行う。例えば、第１制御回路５６は、第１イメージセンサー部５７の制御（読み取り動作の開始、終了や処理動作の制御）を行う。また、第１制御回路５６は、第１光源部５５の光量を制御することができる。
【００４３】
第１イメージセンサー部５７は、ラインセンサー部５７ａとシフトレジスタ部５７ｂを含む。裏面読取ユニット５は、カラーでの読み取りに対応している。そのため、ラインセンサー部５７ａは、Ｒｅｄ、Ｇｒｅｅｎ、Ｂｌｕｅのラインセンサーを含む。尚、ラインセンサー部５７ａは、白黒読み取り用のＢｌａｃｋ／Ｗｈｉｔｅのラインセンサーを含んでいてもよい。シフトレジスタ部５７ｂは、各ラインセンサーに含まれるそれぞれの受光素子に蓄積された電荷を各画素の出力として取り出し、各画素のアナログ出力を主制御部４の画像処理部４３に向けて出力する。
【００４４】
〈表面読取ユニット６〉
次に、表面読取ユニット６を説明する。図２に示すように、表面読取ユニット６は、画像読取部２内に設けられる。操作パネル１０２で原稿の片面を読み取るジョブが設定されたとき、及び両面を読み取るジョブが設定されたとき、表面読取ユニット６は、原稿の表面を読み取る。
【００４５】
図５に示すように、表面読取ユニット６は、第２回路部６１と第２コネクター６２を含む基板であって、ＣＩＳ方式の読取ユニットである。そして、第２回路部６１は、第２光源駆動回路６３、第２光源部６４、第２制御回路６５、第２イメージセンサー部６６などを含む。
【００４６】
第２光源部６４は、原稿に光を照射する光源である。本実施形態の表面読取ユニット６の光源はＬＥＤである。しかし、他種の光源を用いてもよい。本実施形態の表面読取ユニット６はカラーでの読み取りに対応しており、第２光源部６４は、Ｒ（Ｒｅｄ）、Ｇ（Ｇｒｅｅｎ）、Ｂ（Ｂｌｕｅ）の３色を発光することができる。そして、ＬＥＤには導光管（不図示）が接続され、光は、表面読取ユニット６の主走査方向（長手方向）の各位置でほぼ均一な光量レベルとなるように原稿に向けて放たれる。
【００４７】
第２光源駆動回路６３は、主制御部４からの点灯、消灯のタイミングを指示する信号に基づきＬＥＤの点消灯を行う回路である。第２光源駆動回路６３は、Ｒｅｄで読み取りを行うタイミングではＲｅｄのＬＥＤを発光させ、Ｇｒｅｅｎで読み取りを行うタイミングではＧｒｅｅｎのＬＥＤを発光させ、Ｂｌｕｅで読み取りを行うタイミングではＢｌｕｅのＬＥＤを点灯させる。また、原稿の表面を読み取る間、第２光源駆動回路６３は、３色とも（全ＬＥＤを）発光させてもよい。
【００４８】
第２制御回路６５は、表面読取ユニット６のコントローラーであって、第２回路部６１に含まれる回路の制御を行う。例えば、第２制御回路６５は、第２イメージセンサー部６６の制御（読み取り動作の開始、終了や処理動作の制御）を行う。また、第２制御回路６５は、第２光源部６４の光量を制御することができる。
【００４９】
第２イメージセンサー部６６は、ラインセンサー部６６ａとシフトレジスタ部６６ｂを含む。表面読取ユニット６は、カラーでの読み取りに対応している。そのため、ラインセンサー部６６ａは、Ｒｅｄ、Ｇｒｅｅｎ、Ｂｌｕｅのラインセンサーを含む。尚、ラインセンサー部６６ａは、白黒読み取り用のＢｌａｃｋ／Ｗｈｉｔｅのラインセンサーを含んでいてもよい。シフトレジスタ部６６ｂは、各ラインセンサーに含まれるそれぞれの受光素子から蓄積された電荷を各画素の出力として取り出し、各画素のアナログ出力を主制御部４の画像処理部４３に向けて出力する。
【００５０】
そして、裏面読取ユニット５と表面読取ユニット６では同じ回路、部品が用いられる。上述のように、裏面読取ユニット５の第１光源部５５、第１光源駆動回路５４、第１制御回路５６、第１イメージセンサー部５７は、それぞれ、表面読取ユニット６の第２光源部６４、第２光源駆動回路６３、第２制御回路６５、第２イメージセンサー部６６と同じ仕様、形式、規格の回路、製品である。裏面読取ユニット５と表面読取ユニット６では、設けられるコネクターの数が異なる。裏面読取ユニット５には、第１コネクター５２と中継コネクター５３が設けられる。一方、表面読取ユニット６には、第２コネクター６２のみ設けられる。
【００５１】
（主制御部４に設けられる各読取ユニットに関する回路）
次に、図５に基づき、主制御部４に設けられる回路であって、各読取ユニットの制御や信号処理に関する読取用回路部４０を説明する。
【００５２】
図５に示すように、主制御部４には、各読取ユニット（裏面読取ユニット５と表面読取ユニット６）を動作させるのに必要な電圧を生成し、各読取ユニットに電力供給を行う電源回路４１が設けられる。例えば、電源回路４１は、各読取ユニットの（イメージセンサーや各制御回路の）駆動用の電源電圧Ｖｃｃや、ＬＥＤ点灯用の電圧Ｖｌｅｄや、各読取ユニットで用いられる参照電圧Ｖｒｅｆを生成する。
【００５３】
また、主制御部４は、各読取ユニットに入力することで、各読取ユニットの動作を制御するための信号を生成するタイミング生成回路４２を含む。タイミング生成回路４２は、ＬＥＤの点消灯や、電荷の転送や吐き出しに関するクロック信号や、読み取りモードに関する信号を生成する。
【００５４】
また、主制御部４は、各読取ユニットのラインセンサー（受光素子）から出力されたアナログ電圧（電流）に基づき画像データを生成する画像処理部４３を含む。画像処理部４３は、ラインセンサーの各画素が出力したアナログ電気信号を処理するＡＦＥ（アナログフロントエンド）回路を含む。ＡＦＥは、例えば、アンプやノイズ除去回路やＡ／Ｄ変換回路を含む。また、画像処理部４３は、ディジタル化により得られた画像データに対して、ガンマ補正やシェーディング補正部のような、光源やラインセンサーの特性に由来する歪みを補正する補正処理を行える。そして、画像処理部４３が処理した画像データは、一旦、記憶部４ｂに記憶される。その後、記憶部４ｂの画像データは、コピーや送信処理に用いられる。
【００５５】
これらの電源回路４１、タイミング生成回路４２、画像処理部４３は、それぞれがＡＳＩＣのようなＩＣにまとめられていてもよいし、電源回路４１、タイミング生成回路４２、画像処理部４３がまとめて、１つの読取用回路部４０としてＡＳＩＣ化されていてもよい。
【００５６】
また、主制御部４には、裏面読取ユニット５と表面読取ユニット６への電力供給、及び、裏面読取ユニット５と表面読取ユニット６との信号の送受信を行うための主コネクター４４が１つだけ設けられる。
【００５７】
（ケーブルの接続）
次に、図６〜図８を用いて、各読取ユニットでの信号伝送用のケーブルの接続と、信号の分岐について説明する。図６、図７は、各読取ユニットのケーブルの接続の一例を示す図である。図８は、主制御部４と各読取ユニット間で接続される信号線の一例を示す図である。
【００５８】
図６〜図８に示すように、画像読取装置１００は、主制御部４と裏面読取ユニット５を通信可能に電気的に接続する第１ケーブル７を含む。第１ケーブル７は、ＦＦＣ（フレキシブルフラットケーブル）やＦＰＣ（フレキシブルプリントサーキット）である。第１ケーブル７は、裏面読取ユニット５と表面読取ユニット６への電力供給及び主制御部４が裏面読取ユニット５と表面読取ユニット６との信号の送受信を行うためのケーブルである。第１ケーブル７は、複数の信号線を含む。そして、第１ケーブル７は、主制御部４の主コネクター４４と原稿搬送部１の裏面読取ユニット５に設けられた第１コネクター５２に接続される。
【００５９】
そして、画像読取装置１００は、裏面読取ユニット５と表面読取ユニット６を通信可能に電気的に接続する第２ケーブル８も含む。第２ケーブル８も、ＦＦＣやＦＰＣである。第２ケーブル８は、表面読取ユニット６への電力供給及び主制御部４が表面読取ユニット６との信号の送受信を行うためケーブルである。第２ケーブル８は、複数の信号線を含む。第２ケーブル８は、原稿搬送部１の裏面読取ユニット５の中継コネクター５３と画像読取部２の表面読取ユニット６に設けられた第２コネクター６２に接続される。第２ケーブル８は、第１ケーブル７に含まれる信号線のうち、表面読取ユニット６用の信号を伝える信号線を分岐した信号線に接続される。また、第２ケーブル８は、表面読取ユニット６用の信号を伝え、裏面読取ユニット５では不要な信号を伝える信号線として、第１コネクター５２から中継コネクター５３間で直接的に配線された信号線と接続される。
【００６０】
このように、従来とは異なり（図９参照）、主制御部４には、各読取ユニットと信号をやりとりするためのコネクターとして、主コネクター４４が１つのみ設けられる。ここで、主制御部４は、各読取ユニットに対する制御だけでなく、他の制御を行っており、様々な回路、素子が設けられる。また、画像処理部４３のような処理速度が速い回路も含む。そのため、主制御部４は、裏面読取ユニット５と表面読取ユニット６に比べ、基板全体としての規模は大きく、消費電力も大きい。従って、主制御部４と裏面読取ユニット５と表面読取ユニット６のうち、最も大きなノイズ発生源は、主制御部４となる。そこで、図７に示すように、第１ケーブル７には、ノイズの影響を抑制するためのノイズフィルターとしてのフェライトコア９が設けられている。フェライトコア９は、開口を有する。第１ケーブル７は、フェライトコア９の開口に挿通されている。第２ケーブル８は、一方の端部が裏面読取ユニット５と接続され、他方の端部が表面読取ユニット６に接続される。そのため、第１ケーブル７よりもノイズははいりにくい。そのため、第２ケーブル８に対しては、フェライトコア９を設けない。
【００６１】
図６では、第１ケーブル７と第２ケーブル８を破線で示している。そして、図６に示すように、第１ケーブル７は、画像読取装置１００（複合機１０１）の左側面を這うようにして、原稿搬送部１内に導き入れられる。第２ケーブル８は、原稿搬送部１や画像読取部２の背面側であって、画像読取部２の左右方向の中央位置で画像読取部２内に入れられ、表面読取ユニット６に接続される。
【００６２】
ここで、裏面読取ユニット５は固定され、動かない。一方、表面読取ユニット６は、副走査方向に移動させられるので、第２ケーブル８の長さは、表面読取ユニット６がどの位置にあっても、第２ケーブル８が外れたり、無理に延ばされたりしないように、余裕を持たされる。尚、この余裕のため、第２ケーブル８は、基本的に、ある程度、湾曲した（撓んだ）状態となる。このような理由により、第２ケーブル８は、第１ケーブル７よりも長い。
【００６３】
（各ケーブルが伝える信号）
次に、図８を用いて、各ケーブル（第１ケーブル７と第２ケーブル８）が伝える信号を説明する。
【００６４】
〈１．主制御部４から各読取ユニットに送られる信号〉
まず、主制御部４から各読取ユニットに送られる信号について説明する。
【００６５】
図８に示すように、主制御部４の電源回路４１は、裏面読取ユニット５の第１回路部５１及び表面読取ユニット６の第２回路部６１に供給する電源信号としての電源電圧Ｖｃｃ（例えば、ＤＣ３．３〜５Ｖ）と、裏面読取ユニット５と表面読取ユニット６の各制御回路での参照用の参照電圧Ｖｒｅｆ（例えば、ＤＣ１Ｖ）と、ＬＥＤに印加して、各ＬＥＤを点灯させるためのＬＥＤ電源Ｖｌｅｄ（例えば、ＤＣ１５〜１８Ｖ）と、ＧＮＤ（グランド）を出力する。電源回路４１が出力するこれらの信号を、主コネクター４４に入力するための配線（導線）が、主制御部４の基板内に設けられる。
【００６６】
また、図８に示すように、主制御部４のタイミング生成回路４２は、裏面読取ユニット５の赤色ＬＥＤの点灯と消灯のタイミングを指示するための赤色点消灯制御信号ＬＥＤ−Ｒ１と、裏面読取ユニット５の緑色ＬＥＤの点灯と消灯のタイミングを指示するための緑色点消灯制御信号ＬＥＤ−Ｇ１と、裏面読取ユニット５の青色ＬＥＤの点灯と消灯のタイミングを指示するための青色点消灯制御信号ＬＥＤ−Ｂ１を生成し、出力する。これらの信号は、例えば、Ｈｉｇｈならば点灯、Ｌｏｗならば消灯を意味する（ＨｉｇｈとＬｏｗは逆でもよい）。裏面読取ユニット５の第１光源駆動回路５４は、これらの信号に基づき、第１光源部５５に含まれるＬＥＤの点灯と消灯を行う。
【００６７】
また、図８に示すように、主制御部４のタイミング生成回路４２は、表面読取ユニット６の赤色ＬＥＤの点灯と消灯のタイミングを指示するための赤色点消灯制御信号ＬＥＤ−Ｒ２と、表面読取ユニット６の緑色ＬＥＤの点灯と消灯のタイミングを指示するための緑色点消灯制御信号ＬＥＤ−Ｇ２と、表面読取ユニット６の青色ＬＥＤの点灯と消灯のタイミングを指示するための青色点消灯制御信号ＬＥＤ−Ｂ２を生成し、出力する。これらの表面読取ユニット６用の信号も、例えば、Ｈｉｇｈならば点灯、Ｌｏｗならば消灯を意味する（ＨｉｇｈとＬｏｗは逆でもよい）。表面読取ユニット６の第２光源駆動回路６３は、これらの信号に基づき、第２光源部６４に含まれるＬＥＤの点灯と消灯を行う。
【００６８】
また、図８に示すように、主制御部４のタイミング生成回路４２は、裏面読取ユニット５と表面読取ユニット６に供給するクロック信号ＣＬを生成する。裏面読取ユニット５の第１回路部５１と表面読取ユニット６の第２回路部６１は、クロック信号ＣＬの周波数に応じた速度で動作する。例えば、クロック信号ＣＬに基づき、裏面読取ユニット５と表面読取ユニット６のそれぞれのシフトレジスタ部５７ｂ、６６ｂによる各ラインセンサーの各画素からの電荷の取り出しや転送が行われる。
【００６９】
また、図８に示すように、主制御部４のタイミング生成回路４２は、裏面読取ユニット５と表面読取ユニット６に供給する同期信号ＳＰ（例えば、水平同期信号）を生成する。裏面読取ユニット５の第１回路部５１と表面読取ユニット６の第２回路部６１は、同期信号に基づき、１ライン分の読み取りの期間を認識する。例えば、同期信号の立ち上がりや立ち下がりをトリガとして、シフトレジスタ部５７ｂ、６６ｂは、各ラインセンサーの各受光素子に蓄えられた電荷を一斉に取り出す。
【００７０】
また、図８に示すように、主制御部４のタイミング生成回路４２は、読み取りの解像度を示すモード信号ＭＯＤＥを生成する。本実施形態の画像読取装置１００は、１２００ｄｐｉ、６００ｄｐｉ、３００ｄｐｉといった解像度で読み取りが可能である。タイミング生成回路４２は、操作パネル１０２で設定された解像度を示す信号であるモード信号ＭＯＤＥを生成する。第１回路部５１と第２回路部６１内の各制御回路は、モード信号ＭＯＤＥに基づき、読み取りでの解像度を認識する。そして、第１回路部５１の第１制御回路５６は、モード信号ＭＯＤＥに示される解像度で読み取りが行われるように第１イメージセンサー部５７の動作を制御する。また、第２回路部６１の第２制御回路６５は、モード信号ＭＯＤＥに示される解像度で読み取りが行われるように第２イメージセンサー部６６の動作を制御する。
【００７１】
タイミング生成回路４２が生成、出力するこれらの信号（赤色点消灯制御信号ＬＥＤ−Ｒ１、緑色点消灯制御信号ＬＥＤ−Ｇ１、青色点消灯制御信号ＬＥＤ−Ｂ１、赤色点消灯制御信号ＬＥＤ−Ｒ２、緑色点消灯制御信号ＬＥＤ−Ｇ２、青色点消灯制御信号ＬＥＤ−Ｂ２、クロック信号ＣＬ、同期信号ＳＰ、モード信号ＭＯＤＥ）を、主コネクター４４に接続するための配線（導線）が、主制御部４の基板内に設けられる。
【００７２】
第１ケーブル７は、電源回路４１が生成する信号（電圧）、タイミング生成回路４２が生成する信号を裏面読取ユニット５と表面読取ユニット６に伝えるための信号線を含む。第１ケーブル７は、一端（一方のソケット）が主コネクター４４に、他端（他方のソケット）が第１コネクター５２に接続される。これにより、主コネクター４４に入力された（接続された）信号は、第１ケーブル７によって、裏面読取ユニット５に伝えられる。
【００７３】
ここで、第１ケーブル７が伝え、裏面読取ユニット５に入力される信号のうち、赤色点消灯制御信号ＬＥＤ−Ｒ１、緑色点消灯制御信号ＬＥＤ−Ｇ１、青色点消灯制御信号ＬＥＤ−Ｂ１は、裏面読取ユニット５でのみ用いられる。そして、主制御部４と裏面読取ユニット５のそれぞれには、主制御部４のタイミング生成回路４２と第１回路部５１を結び、第１読取ユニットのみで用いる信号を第１回路部５１（第１光源駆動回路５４）に入力するための裏面読取ユニット用信号線Ｇ１の一部が設けられる（配線される）。言い換えると、裏面読取ユニット用信号線Ｇ１として、主制御部４には、タイミング生成回路４２と主コネクター４４を繋ぐ部分的な信号線が設けられ、裏面読取ユニット５には、第１コネクター５２と第１回路部５１を繋ぐ部分的な信号線が設けられる。そして、主コネクター４４と第１コネクター５２に第１ケーブル７が取り付けられると、裏面読取ユニット用信号線Ｇ１の部分的な信号線同士が接続される（裏面読取ユニット用信号線Ｇ１が結線される）。これにより、主制御部４のタイミング生成回路４２から、裏面読取ユニット５の第１回路部５１に裏面読取ユニット用信号が入力される。
【００７４】
また、第１ケーブル７が伝え、裏面読取ユニット５に入力される信号のうち、電源電圧Ｖｃｃ、参照電圧Ｖｒｅｆと、ＬＥＤ電源Ｖｌｅｄ（例えば、ＤＣ１５〜１８Ｖ）と、ＧＮＤと、クロック信号ＣＬと、同期信号ＳＰと、モード信号ＭＯＤＥは、裏面読取ユニット５と表面読取ユニット６の両方で用いられる。そして、主制御部４と裏面読取ユニット５のそれぞれには、主制御部４のタイミング生成回路４２又は電源回路４１と、第１回路部５１間を結び、裏面読取ユニット５と表面読取ユニット６が共通で用いる信号を伝えるための共用信号線Ｇ２の一部が設けられる（配線される）。言い換えると、共用信号線Ｇ２として、主制御部４には、タイミング生成回路４２、電源回路４１と主コネクター４４を繋ぐ部分的な信号線が設けられ、裏面読取ユニット５には、第１コネクター５２と第１回路部５１を繋ぐ信号線が設けられる。そして、主コネクター４４と第１コネクター５２に第１ケーブル７が取り付けられると、共用信号線Ｇ２の部分的な信号線同士が接続される（共用信号線Ｇ２が結線される）。これにより、主制御部４のタイミング生成回路４２と電源回路４１から、裏面読取ユニット５の第１回路部５１に共用の信号が入力される。
【００７５】
更に、裏面読取ユニット５は、共用信号線Ｇ２を分岐させて中継コネクター５３に接続するように配線される。言い換えると、裏面読取ユニット５と表面読取ユニット６で共用される信号を伝えるための信号線は、分岐され、分岐された信号線は中継コネクター５３に接続される。そして、表面読取ユニット６には、共用の信号をつたえるための共用信号線Ｇ２の一部として、第２コネクター６２と第２回路部６１を繋ぐ部分的な信号線が設けられる。
【００７６】
そして、主コネクター４４と第１コネクター５２に第１ケーブル７が取り付けた状態で、中継コネクター５３と第２コネクター６２に第２ケーブル８を取り付けると、表面読取ユニット６に向けての共用信号線Ｇ２の部分的な信号線同士が全て接続される（共用信号線Ｇ２が結線される）。これにより、主制御部４のタイミング生成回路４２及び電源回路４１から、表面読取ユニット６の第２回路部６１に共用の信号が入力される。
【００７７】
また、第１ケーブル７が伝え、裏面読取ユニット５に入力される信号のうち、赤色点消灯制御信号ＬＥＤ−Ｒ２、緑色点消灯制御信号ＬＥＤ−Ｇ２、青色点消灯制御信号ＬＥＤ−Ｂ２は、表面読取ユニット６でのみ用いられる。そして、主制御部４には、主制御部４のタイミング生成回路４２と第２回路部６１間を結び、表面読取ユニット６のみで用いる信号を伝えるための表面読取ユニット用信号線Ｇ３の一部が設けられる（配線される）。言い換えると、表面読取ユニット用信号線Ｇ３の一部として、主制御部４には、タイミング生成回路４２と主コネクター４４を繋ぐ部分的な信号線が設けられる。
【００７８】
更に、裏面読取ユニット５では、第１コネクター５２に接続された表面読取ユニット用信号線Ｇ３をそのまま中継コネクター５３に接続する配線がなされる。言い換えると、裏面読取ユニット５内では、第１コネクター５２と中継コネクター５３を直接つなぐ態様で、表面読取ユニット用信号線Ｇ３は設けられる。言い換えると、裏面読取ユニット５には、第２コネクター６２と第２回路部６１を繋ぐための部分的な信号線が設けられる。そして、表面読取ユニット６には、表面読取ユニット用信号線Ｇ３の一部として、第２コネクター６２と第２回路部６１を繋ぐ部分的な信号線が設けられる。
【００７９】
そして、主コネクター４４と第１コネクター５２に第１ケーブル７が取り付けた状態で、中継コネクター５３と第２コネクター６２に第２ケーブル８を取り付けると、表面読取ユニット用信号線Ｇ３の部分的な信号線同士が全て接続される（表面読取ユニット用信号線Ｇ３が結線される）。これにより、主制御部４のタイミング生成回路４２から、表面読取ユニット６の第２回路部６１に表面読取ユニット６用の信号が入力される。
【００８０】
このように、第２ケーブル８は、裏面読取ユニット５の中継コネクター５３と第２コネクター６２の間で、分岐された共用信号線Ｇ２と第２読取ユニット用信号線を接続する。これにより、主制御部４と第２回路部６１は、裏面読取ユニット５を介して信号のやりとりを行う。
【００８１】
〈２．裏面読取ユニット５から主制御部４に送られる信号〉
次に、裏面読取ユニット５から主制御部４に送られる信号を説明する。図８に示すように、原稿を読み取ることで第１ラインセンサー部５７ａが出力した各画素の画像信号Ｄ１（アナログデータ）が第１読取ユニット（第１回路部５１）から主制御部４の画像処理部４３に向けて送られる。第１ラインセンサー部５７ａの出力は、各受光素子（各画素）が蓄積した電荷である。尚、この第１ラインセンサー部５７ａからのデータ転送は、クロック信号ＣＬにあわせて行われる。また、図８では、画像信号Ｄ１用の信号線を一本のみ図示しているが、画像読取装置１００は複数色分のラインセンサーを含むので、色数分、画像信号Ｄ１の信号線が設けられる。この画像信号Ｄ１の信号線は、裏面読取ユニット用信号線Ｇ１ともいえる。
【００８２】
そして、主制御部４と裏面読取ユニット５のそれぞれには、主制御部４の画像処理部４３と第１回路部５１を結び、画像信号Ｄ１を画像処理部４３に入力するための信号線の一部が設けられる（配線される）。言い換えると、裏面読取ユニット５が出力する画像信号Ｄ１の伝送用の信号線として、主制御部４には、画像処理部４３と主コネクター４４を繋ぐ部分的な信号線が設けられ、裏面読取ユニット５には、第１コネクター５２と第１回路部５１を繋ぐ部分的な信号線が設けられる。そして、主コネクター４４と第１コネクター５２に第１ケーブル７が取り付けられると、画像信号Ｄ１の伝送用の信号線の部分的な信号線同士が接続される（画像信号Ｄ１の伝送用の信号線の結線）。これにより、裏面読取ユニット５の第１イメージセンサー部５７からの画像信号Ｄ１が画像処理部４３に入力される。画像処理部４３は、この画像信号Ｄ１を処理して、原稿の裏面の画像データを生成する。
【００８３】
〈３．表面読取ユニット６から主制御部４に送られる信号〉
次に、表面読取ユニット６から主制御部４に送られる信号を説明する。図８に示すように、原稿を読み取ることで第２イメージセンサー部６６が出力した各画素の画像信号Ｄ２（アナログデータ）が表面読取ユニット６（第２回路部６１）から主制御部４の画像処理部４３に向けて送られる。尚、この第２ラインセンサー部６６ａからのデータ転送も、クロック信号ＣＬにあわせて行われる。また、図８では、画像信号Ｄ１と同様に、画像信号Ｄ２用の信号線を一本のみ図示しているが、第２イメージセンサー部６６は、複数色分のラインセンサーを含むので、色数分、画像信号Ｄ２の信号線が設けられる。この画像信号Ｄ２の信号線は、表面読取ユニット用信号線Ｇ３ともいえる。
【００８４】
そして、主制御部４には、主制御部４の画像処理部４３と第２回路部６１を結び、画像信号Ｄ２を画像処理部４３に入力するための信号線の一部が設けられる（配線される）。言い換えると、画像信号Ｄ２用の信号線として、主制御部４には、画像処理部４３と主コネクター４４を繋ぐ部分的な信号線が設けられる。
【００８５】
裏面読取ユニット５は、中継コネクター５３に接続された画像信号Ｄ２用の信号線をそのまま第１コネクター５２に接続するように配線される。言い換えると、裏面読取ユニット５内には、中継コネクター５３と第１コネクター５２の間を直接つなぐ態様で、画像信号Ｄ２用の信号線は設けられる。更に、表面読取ユニット６には、画像信号Ｄ２用の信号線の一部として、第２コネクター６２と第２回路部６１を繋ぐ部分的な信号線が設けられる。
【００８６】
そして、主コネクター４４と第１コネクター５２に第１ケーブル７が取り付けた状態で、中継コネクター５３と第２コネクター６２に第２ケーブル８を取り付けると、画像信号Ｄ２用の信号線の部分的な信号線同士が全て接続される（結線される）。これにより、表面読取ユニット６のイメージセンサー部からの画像信号Ｄ２用の信号を、画像処理部４３に入力することができる。画像処理部４３は、この画像信号Ｄ２を処理して、原稿の表面の画像データを生成する。
【００８７】
この構成によれば、画像読取装置１００は、セットされた原稿を読み取り位置に向けて搬送する原稿搬送部１と、原稿搬送部１により搬送される原稿を読み取るための画像読取部２と、画像読取装置１００内に設けられる複数の読取ユニットと信号の送受信を行って制御を行うための主コネクター４４を１つ含む主制御部４と、イメージセンサー（第１イメージセンサー部５７）及び光源（第１光源部５５）を含み、原稿のうち一方の面を読み取り、原稿搬送部１と画像読取部２のうち、何れか一方に読取ユニットとして設けられる第１読取ユニット（裏面読取ユニット５）と、イメージセンサー（第２イメージセンサー部６６）及び光源（第２光源部６４）を含み、原稿のうち他方の面を読み取り、原稿搬送部１と画像読取部２のうち第１読取ユニットが設けられない方に読取ユニットとして設けられる第２読取ユニット（表面読取ユニット６）と、主制御部４と第１読取ユニットを通信可能に電気的に接続する第１ケーブル７と、第１読取ユニットと第２読取ユニットを通信可能に電気的に接続する第２ケーブル８と、を含む。主制御部４は、主コネクター４４を用いて、第１読取ユニット用と第２読取ユニット用の信号をまとめてやりとりする。第１読取ユニットは、主制御部４からの信号のうち、第１読取ユニットと第２読取ユニットで共用される信号を伝える信号線を分岐して、第２読取ユニット用の信号を、第２ケーブル８を介して第２読取ユニットに伝える。第２読取ユニットは、第１読取ユニットを介して、主制御部４と信号のやりとりを行う。
【００８８】
これにより、主制御部４（制御基板）に設けられる各読取ユニット用のコネクターの数は１つとなり、主制御部４に接続可能な読取ユニット用のケーブルは１種類のみとなる。従って、表面読取用ユニットに対するコネクターに裏面読取用ユニットのケーブルを取り付けたり、あるいは、裏面読取用ユニットに対するコネクターに表面読取用ユニットの接続ケーブルを取り付けたりするミスがなくなる。従って、画像読取装置１００の組立でのミスが生じないようにすることができる。さらに、画像読取装置１００の組立が進んでからミスが発覚したとき、一旦組み立てた画像読取装置１００を一部ばらすなど、ケーブルの正しく取り付け直す作業に手間がかかる場合もある。しかし、本発明によれば、煩わしい作業が必要なミス自体が生じないので、画像読取装置１００の組み立てやすさを高めることができる。
【００８９】
更に、主制御部４（制御基板）に設けられる各読取ユニット用と信号をやりとりするための数は１つに減らされる。しかも、共用される信号は、分岐される。そのため、制御基板に設けられるコネクターの幅は、従来、各読取ユニットと制御基板を個別にケーブルで接続する場合のコネクター２個分の幅よりも確実に短くなる。従って、従来の両面同時読込式の画像読取装置１００よりも主制御部４（制御基板）を小型化することができる。また、小型化によって、主制御部４（制御基板）、画像読取装置１００の製造コストを減らすことができる。
【００９０】
又、第１読取ユニット（裏面読取ユニット５）は、原稿搬送部１に固定して設けられるとともに、原稿の裏面を読み取る。第２読取ユニット（表面読取ユニット６）は、画像読取部２に設けられ、原稿の表面を読み取る。画像読取部２は、原稿搬送部１が搬送する原稿を読み取るための搬送読取用コンタクトガラス２１と、載置された原稿を読み取るための載置読取用コンタクトガラス２２と、第２読取ユニットを副走査方向で移動させる移動機構２６を含む。第１ケーブル７は、主制御部４の主コネクター４４と原稿搬送部１に設けられた第１読取ユニットを接続する。第２ケーブル８は、原稿搬送部１の第１読取ユニットと画像読取部２の第２読取ユニットを接続する。
【００９１】
まず、画像読取部２の第２読取ユニットは、移動する。そのため、第２読取ユニットが移動してもケーブルが切れたりコネクターから外れたりしないように、第１読取ユニットと第２読取ユニットを繋ぐケーブルは、長さに余裕が持たされる。また、ケーブルが動くことは、ノイズの観点からみれば、好ましくない。ここで、画像読取部２の読取ユニットは移動するところ、画像読取部２に第１読取ユニットを設けた場合、主制御部４と第２読取ユニットの両方に接続される第１読取ユニットが副走査方向で移動させられることになる。そのため、第１ケーブル７と第２ケーブル８の両方に長さの余裕も持たせる必要がある。そこで、第１読取ユニットを原稿搬送部１に設ける。原稿搬送部１に設けられる読取ユニットは、位置が固定されているので、主制御部４と第１読取ユニットをつなぐ第１ケーブル７については、長さの余裕を持たせなくてよい。従って、ケーブルのコストを抑えることができる。
【００９２】
又、第１読取ユニット（裏面読取ユニット５）は、第１コネクター５２と中継コネクター５３を含む。第１読取ユニットは、第２コネクター６２を含む。第１ケーブル７は、主コネクター４４と第１コネクター５２を接続する。第２ケーブル８は、中継コネクター５３と第２コネクター６２を接続する。
第１ケーブル７は、第１読取ユニットと第２読取ユニット（表面読取ユニット６）が共通で用いる信号を伝える共用信号線Ｇ２、第１読取ユニットのみで用いる信号を伝える第１読取ユニット用信号線、及び、第２読取ユニットのみで用いる信号を伝える第２読取ユニット用信号線を、主制御部４と第１読取ユニットの間で接続する。第１読取ユニットは、共用信号線Ｇ２を分岐させて中継コネクター５３に接続するとともに、第１コネクター５２に接続された第２読取ユニット用信号線を中継コネクター５３に接続するように配線される。第２ケーブル８は、第１読取ユニットの中継コネクター５３と第２コネクター６２の間で、分岐された共用信号線Ｇ２と第２読取ユニット用信号線を接続する。
【００９３】
従来、メイン制御基板に、コネクターを２つ設け、メイン制御基板と各読取ユニットをケーブルで別々に接続していた。しかし、第１読取ユニットと第２読取ユニットで共用される信号の信号線は、第１読取ユニット用と第２読取ユニット用に別々のものとして第１ケーブル７に含められない。共用される信号の信号線は、第１読取ユニットにおいて分岐され、第２読取ユニットに与えられる。従って、コネクターを２つ設ける場合よりも、コネクターの基板の実装に要する面積を減らすことができ、主制御部４の制御基板の小型化を大きく推し進めることができる。
【００９４】
又、第１ケーブル７に対して、ノイズを抑制するためのフェライトコア９が設けられる。第２ケーブル８に対しては、フェライトコア９を設けない。原稿の読み取りでは、ノイズの影響を軽減するため、ノイズフィルター（フェライトのような磁性体のコア）を、通信用のケーブルに取り付けることがある。特に、主制御部４（メイン制御基板）は、数多くの信号を処理し、消費電力が大きく高周波の部品、回路を含むことが多い。そこで、フェライトコア９は、メインの制御基板と各イメージセンサー（読取ユニット）を接続するケーブルに取り付けられる。従来、メインの制御基板に２つのコネクターを設け、各読取ユニットとメインの制御基板を２つのケーブルで接続する場合、それぞれのケーブル（各コネクター）に対して、ノイズフィルターが設けられていた。一方、主制御部４に設けられるコネクターは１つなので、主制御部４と接続されるケーブルは第１ケーブル７のみである。そのため、ノイズフィルター（フェライトコア９）を設けるケーブルは１本のみでよく、画像読取装置１００の製造コストを抑えることができる。しかも、第１読取ユニット用の信号線と第２読取ユニット用の信号線の両方を含むので、１つのフェライトコア９により、第１読取ユニットと第２読取ユニットで扱われる信号の全てにおいて、ノイズの軽減や除去の効果を得ることができる。
【００９５】
又、画像形成装置（複合機１０１）は、実施形態に係る画像読取装置１００を含む。これにより、画像形成装置の組立を容易なものとし、画像形成装置の製造コストを抑えることができる。
【００９６】
次に、他の実施形態を説明する。上記の説明では、主制御部４とケーブルで接続される第１読取ユニットを原稿搬送部１に設け、主制御部４と第１読取ユニットを介して信号のやりとりを行う第２読取ユニットを画像処理部４３に設ける例を説明した。しかし、画像読取部２に設ける読取ユニットを第１読取ユニットとし、原稿搬送部１に設ける読取ユニットを第２読取ユニットとしてもよい。
【００９７】
以上、本発明の実施形態を説明したが、本発明の範囲はこれに限定されず、発明の主旨を逸脱しない範囲で種々の変更を加えて実施することができる。
【産業上の利用可能性】
【００９８】
本発明は、画像読取装置やこれを備えた画像形成装置に利用可能である。
【符号の説明】
【００９９】
１００  画像読取装置                    １０１  複合機（画像形成装置）
１      原稿搬送部                      ２      画像読取部
２１    搬送読取用コンタクトガラス      ２２    載置読取用コンタクトガラス
２３    ワイヤー（移動機構）            ２４    巻取ドラム（移動機構）
２５    巻取モーター（移動機構）        ２６    移動機構
４      主制御部                        ４４    主コネクター
５      裏面読取ユニット（第１読取ユニット）
５２    第１コネクター                  ５３    中継コネクター
５５    第１光源部（光源）              ６２    第２コネクター
５７    第１イメージセンサー部（イメージセンサー）
６      表面読取ユニット（第２読取ユニット）
６６    第２イメージセンサー部（イメージセンサー）
６４    第２光源部（光源）              ７      第１ケーブル
８      第２ケーブル
９      フェライトコア（ノイズフィルター）
Ｇ１    裏面読取ユニット用信号線（第１読取ユニット用信号線）
Ｇ２    共用信号線
Ｇ３    表面読取ユニット用信号線（第２読取ユニット用信号線）
【図１】
0006269420.tif 000002
【図２】
0006269420.tif 000003
【図３】
0006269420.tif 000004
【図４】
0006269420.tif 000005
【図５】
0006269420.tif 000006
【図６】
0006269420.tif 000007
【図７】
0006269420.tif 000008
【図８】
0006269420.tif 000009
【図９】
0006269420.tif 000010